(57)【要約】      （修正有）【課題】スクラッチの発生を防止し、衝撃から液晶画面を保護し、容易に液晶画面への取付けが可能な液晶ディスプレー装置の液晶保護板並びに液晶ディスプレー装置を提供する。【解決手段】強化ガラス及び強化プラスチックからなる保護板本体１の外周に、伸縮性を持つ環形帯をやや突き出るように形成する。環形帯は、内側中央に吸着ホーム１０３を持つ吸着板１０２からなる。保護板本体１の外側から内側の中空部２を加圧すると、環形帯は押されて低くなり、中空部２内側の空気が環形帯の外側に移動することで、保護板本体１に加えられる加圧力を取除いても中空部２は外側より気圧が低い真空状態を維持する。【選択図】図１
0003165094.tif 000002
【実用新案登録請求の範囲】
【請求項１】
強化ガラスまたは強化プラスチック素材で形成される板材型の保護板本体の少なくとも一方の面の縁に沿って突出させて形成された伸縮性を持つ環形帯と、
該環形帯に囲まれて形成された中空部とを備える
液晶ディスプレー装置の液晶保護板。
【請求項２】
前記環形帯は、内側の中央に吸着ホームを持つ吸着板で構成される
請求項１に記載の液晶ディスプレー装置の液晶保護板。
【請求項３】
前記環形帯の表面に粘着剤が塗布される
請求項１に記載の液晶ディスプレー装置の液晶保護板。
【請求項４】
前記保護板本体の少なくとも一方の面の縁に沿って形成された飾り文様層を備え、
該飾り文様層に環形帯が形成される
請求項１に記載の液晶ディスプレー装置の液晶保護板。
【請求項５】
液晶ディスプレー装置本体と、
強化ガラスまたは強化プラスチック素材で形成される板材型の保護板本体の少なくとも一方の面の縁に沿って突出させて形成された伸縮性を持つ環形帯、及び、該環形帯に囲まれて形成された中空部を有する、前記液晶ディスプレー装置本体に取付けられた液晶保護板とを備える
液晶ディスプレー装置。
【考案の詳細な説明】
【技術分野】
【０００１】
本考案は、液晶ディスプレー装置の液晶保護板並びに液晶ディスプレー装置に関するものである。具体的には湾曲性を持つ薄板の強化ガラス、または、強化プラスチック素材の保護板を液晶画面に装着する。それにより、液晶画面装置を外部の衝撃から保護し、剥がれ落ちることなく取り外しも容易である。
【背景技術】
【０００２】
液晶ディスプレーは、一般的に携帯電話、電子辞典、ナビゲーション、コンピューターモニター、テレビなど、多様な分野で使われている。特に近年は携帯電話、電子辞典のように携帯に便利なように小型化し、また、可視画面を拡張するために、画面を直接タッチして命令語を入力及び出力するタッチスクリーン液晶ディスプレー装置の使用が増えている。
【０００３】
上記のように携帯性が強調される製品は、その特性上、ディスプレーの表面が外部に露出しており、衝撃や摩擦による画面装置の破損が頻繁に発生する。特にタッチスクリーン液晶ディスプレー装置は、画面に直接触れる指またはタッチペンなどについた異物により、表面にスクラッチが頻繁に発生するという問題点がある。
【０００４】
このような問題点を解消するために、現在、合成樹脂の薄膜フィルムの付着面に粘着剤を塗布したり、フィルム自体が静電気を帯びたりすることで、画面装置の表面に付着する保護フィルムが提案されて使われている。
【０００５】
例えば特許文献１には、液晶画面の形に合わせて切り抜いた透明なフィルムの片面に、易剥離性を有しかつ透明な接着剤が均一に塗布され、接着面が剥がれやすいように表面加工された台紙に仮固定された、液晶画面保護用具が記載されている。
【０００６】
しかし、上記のような保護フィルムには、さまざまな問題点がある。まず、保護フィルムを取りつけるには、フィルムの一辺を液晶画面に密着させ、順に液晶ディスプレーとの間に気泡が生じないように付着させなければならない。
【０００７】
しかし、その作業が煩わしい上、気泡が生じないように取りつけるのは困難で、気泡により画面が見えにくいという問題点がある。また、気泡をとり除くために付けはずしを繰り返すことで、保護フィルムの接着面に指紋や異物が付いたり、長期間の使用でフィルムの角や端の接着力が低下し、部分的に剥がれたりすることも多い。
【０００８】
さらに、従来の保護フィルムは、スクラッチなどからディスプレー装置の表面を保護することはできるが、外部衝撃によるディスプレー装置の破損は防止することができない。
【０００９】
従来の保護フィルムは、本質的に寿命が制限されているという問題点もある。材質は軟質素材を使用しているが、使用期日が経つにつれて保護フィルムの硬化、粘着剤の成分の揮発、静電気の減少が起こり、前述のように端や角から保護フィルムの剥離現象が起きる。
【先行技術文献】
【特許文献】
【００１０】
【特許文献１】実開平６−８４４３２号公報
【考案の概要】
【考案が解決しようとする課題】
【００１１】
本考案は、上記のような従来の保護フィルムの問題点を改善するための発案である。
スクラッチの発生を防止し、外部からの衝撃から液晶画面を保護し、容易に液晶画面への取付けが可能な液晶ディスプレー装置の液晶保護板、並びに、このような液晶保護板が取付けられた液晶ディスプレー装置を提供するのが、本考案の目的である。
【課題を解決するための手段】
【００１２】
上記のような目的を達成するために、本考案の液晶ディスプレー装置の液晶保護板は、強化ガラスまたは強化プラスチック素材で形成される板材型の保護板本体の少なくとも一方の面の縁に沿って突出させて形成された伸縮性を持つ環形帯と、該環形帯に囲まれて形成された中空部とを備える。
【００１３】
また、本考案の液晶ディスプレー装置の液晶保護板において、環形帯は、内側の中央に吸着ホームを持つ吸着板で構成されることとすることができる。
【００１４】
また、本考案の液晶ディスプレー装置の液晶保護板において、環形帯の表面に粘着剤が塗布されることとすることができる。
【００１５】
また、本考案の液晶ディスプレー装置の液晶保護板は、保護板本体の少なくとも一方の面の縁に沿って形成された飾り文様層を備え、飾り文様層に環形帯が形成されることとすることができる。
【００１６】
また、上記のような目的を達成するために、本考案の液晶ディスプレー装置は、液晶ディスプレー装置本体と、強化ガラスまたは強化プラスチック素材で形成される板材型の保護板本体の少なくとも一方の面の縁に沿って突出させて形成された伸縮性を持つ環形帯、及び、該環形帯に囲まれて形成された中空部を有する、前記液晶ディスプレー装置本体に取付けられた液晶保護板とを備える。
【００１７】
表面硬度及び強度が高い強化ガラス、または、強化プラスチック素材の保護板本体に加え、保護板本体の外周に、即ち保護板本体の少なくとも一方の面の縁に沿って、伸縮性を持つ軟質素材の環形帯を取りつける。
【００１８】
また、環形帯は保護板本体より突出しており、保護板をディスプレー装置に取りつけると、保護板とディスプレー装置との間には中空部が形成される。
また、その中空部を外側から加圧して空気を環形帯の外側に押し出す。保護板とディスプレー装置の間に形成される中空部の空気圧が、吸着板の外側の空気圧より低く真空を維持することで、ディスプレー装置と保護板が密着する。
以上が本考案の概要である。
【考案の効果】
【００１９】
保護板の表面硬度及び強度が高く、スクラッチの発生が抑制され、耐久性にも優れている。また、環形帯の断部に吸着板を形成し、その吸着力に加えて画面と保護板の間を真空に保つことで吸着力は高まり、使用中に剥がれ落ちることがない。取りつけ取り外しを繰り返しても付着力が低下せず、保護板が板材で形成されているため、ディスプレーの付着位置にきちんと付着させることも容易である。また、保護板とディスプレー装置の間に中空部が形成されることで、保護板に加えられる外部の衝撃がディスプレー装置に伝わることを最小化し、衝撃による破損を防止することができる利点がある。
【図面の簡単な説明】
【００２０】
【図１】本考案の液晶ディスプレー装置の液晶保護板の斜視図である。
【図２】本考案の液晶ディスプレー装置の液晶保護板の断面図である。
【図３】図２のＡ部の拡大図として本考案の要部である吸着部の実施例を示した概略図である。
【図４】本考案の液晶ディスプレー装置の液晶保護板をディスプレー装置に付着させる実施例を示した概略図である。
【図５】ディスプレー装置に付着した保護板を示した概略図である。
【図６】送受話ホームの周囲に吸着する吸着部を示した概略図である。
【考案を実施するための形態】
【００２１】
以下に添付した図面に基づいて、本考案の実施例を詳しく説明する。
まず、図１と図２は本考案の構成を示した保護板の斜視図、及び断面図で、図３に本考案の要部である吸着部の実施例を示した拡大断面図が図示されている。
【００２２】
つまり、本考案の保護板は、強化ガラス及び強化プラスチック素材を利用して、湾曲性を持つ板材型の保護板本体(１)の外周に（すなわち、保護板本体の少なくとも一方の面の縁に沿って）、伸縮性を持つ環形帯(１０１)がやや突き出るような形で形成されている。
【００２３】
また、環形帯(１０１)は、内側の中央に吸着ホーム(１０３)を持つ吸着板(１０２)を保護板(１)の表面からやや突き出るように形成することもでき、透明な保護板の縁に飾り文様を入れることで、環形帯及び吸着板が飾り文様層に隠れるようにする。吸着板(１０２)はウレタンのような軟質素材で、内側が外側より低くなる吸着ホーム(１０３)がある。
【００２４】
次に、本考案の保護板を液晶画面に装着する実施例を述べる。
まず、本考案の図３(ａ)のように保護板本体(１)の環形帯(１０１)を液晶ディスプレー装置(３)に密着させる。
【００２５】
保護板本体(１)の外側から内側の中空部(２)を加圧すれば、環形帯(１０１)が押されて低くなると同時に、中空部(２)内側の空気が中空部の外側、すなわち環形帯の外側に移動する。
【００２６】
保護板本体（１)に加えた加圧力を取除いても、環形帯(１０１)によって外側の空気は中空部(２)に流入されず、保護板の中空部(２)は外側より気圧が低い真空状態を維持する。この時、環形帯(１０１)は元の状態に戻ろうとするが、その力より真空による保護板とディスプレー装置(３)の吸着力が強いことで、中空部(２)は真空状態を維持する。
【００２７】
従って、液晶ディスプレー装置(３)に環形帯(１０１)を密着させ、保護板の外側から中空部(２)を加圧して中空部を真空に維持して保護板とディスプレー装置を付着させることができる。
【００２８】
また、この時、保護板の付着範囲内に位置する送受話ホーム(３０１)は、図６のように保護板に貫通孔(１０６)を形成し、貫通孔のまわりに環形帯(１０１)を形成して中空部(２)と気密を維持する。
【００２９】
以上のように保護板(１)はディスプレー装置(３)に付着して固定される。また、図３の(ｂ)のように環形帯(１０１)の表面は内側が外側より低い吸着ホーム(１０３)を持つ吸着板(１０２)で、ディスプレー装置(３)の表面に密着して吸着板(１０２)の外部すなわち保護板の吸着板形成部外側から加圧して、吸着ホーム(１０３)内の空気を吸着ホーム(１０３)の外部に移動させて、真空を維持することで保護板をディスプレー装置(３)に付着させることもできる。
【００３０】
従って、吸着板(１０２)を利用して保護板(１)を付着させることもでき、吸着板(１０２)内側の中空部(２)を加圧して真空状態にして、さらに堅固な付着が可能である。
【００３１】
また、上記の環形帯(１０１)の表面及び吸着板(１０２)の吸着ホーム(１０３)に粘着剤(１０４)を塗布し、ディスプレー装置(３)に取りつけることもできる。これにより、吸着板(１０２)の吸着力を倍加すると同時に、中空部(２)の気密をより強く維持することもできる。
【００３２】
また、本考案の保護板は、保護板本体(１)の外周の環形帯形成部に飾り文様層(１０５)が入っていて、環形帯(１０１)が飾り文様層(１０５)で隠れるようにすることもできる。
【００３３】
高い表面硬度と強度を持つ強化ガラス、または、強化プラスチック素材を利用して保護板を形成することで、スクラッチの発生を防止する。また、保護板と画面の間に衝撃吸収層を形成することにより、外部からの衝撃から液晶画面を保護する。また、容易に液晶画面への取りつけが可能である。
【符号の説明】
【００３４】
１:保護板本体
２:中空部
３:ディスプレー装置
１０１:環形帯
１０２:吸着板
１０３:吸着ホーム
１０４:粘着剤
１０５:飾り文様層
１０６:貫通孔
３０１:送受話ホーム
【図１】
0003165094.tif 000003
【図２】
0003165094.tif 000004
【図３】
0003165094.tif 000005
【図４】
0003165094.tif 000006
【図５】
0003165094.tif 000007
【図６】
0003165094.tif 000008